(57)【要約】【課題】着脱が容易で、ガタツキが生じ難いモニタ支持構造を提供すること。【解決手段】モニタ設置部にモニタ支持部５を介してモニタ部を支持するモニタ支持構造である。モニタ設置部は、底面を有し、上面が開口された柱状凹部と、その一部が柱状凹部内に突出するように設けられた爪部材とを有する。モニタ支持部は、柱状凹部に着脱可能かつ回動可能に嵌入される柱状凸部７と、その上部にモニタ部が取り付けられる支柱部６とを有する。柱状凸部は柱状凹部に嵌入される際に、爪部材が干渉することなく通過するようにその側面に凹陥するように形成された軸方向切欠部７２と、柱状凸部を柱状凹部内で所定方向に回動した場合に、爪部材に係合して該柱状凸部の下面が該柱状凹部の底面に当接するように押圧する係合部７３とを有する。柱状凸部は、その下面に、一対のプランジャ機能付ボールローラ７６を有する。【選択図】図２Ｄ
2019063262.tif 000002
【特許請求の範囲】
【請求項１】
本体筐体部の上部に設けられたモニタ設置部に、モニタ支持部を介して、モニタ部を支持するモニタ支持構造であって、
前記モニタ設置部は、
底面を有し、上面が開口された略円柱状の柱状凹部と、
前記柱状凹部の上部に設けられ、その一部が該柱状凹部の内面よりも内側に突出するように設けられた爪部材とを有し、
前記モニタ支持部は、
前記モニタ部がその上部に取り付けられる支柱部と、
該支柱部の下部に一体的に設けられ、前記柱状凹部に着脱可能にかつ回動可能に嵌入される略円柱状の柱状凸部とを有し、
前記柱状凸部は、
前記柱状凹部に嵌入される際に、前記爪部材の前記一部が干渉することなく通過するようにその側面に凹陥するように形成された切欠部と、
該柱状凹部に嵌入された状態で、該柱状凸部をその中心軸を中心として所定方向に回動した場合に、前記爪部材に係合して該柱状凸部を該柱状凹部の前記底面に向けて押圧する係合部とを有し、
前記柱状凸部は、その下面に設けられ、該柱状凸部が該柱状凹部から離間するように付勢しつつ回転可能な少なくとも一つのプランジャ機能付ボールローラを有するモニタ支持構造。
【請求項２】
前記本体筐体部は接続される医療機器を駆動する駆動部を収納しており、
前記モニタ部は前記医療機器の駆動状態を含む情報を表示する請求項１に記載のモニタ支持構造。
【発明の詳細な説明】
【技術分野】
【０００１】
本発明は、ＩＡＢＰ駆動装置等の医療機器を駆動する駆動装置等に用いて好適なモニタ支持構造に関する。
【背景技術】
【０００２】
ＩＡＢＰ（大動脈バルーンポンピング）において被駆動機器を駆動するＩＡＢＰ駆動装置として、下記特許文献１に記載されているものが知られている。この駆動装置は、接続されるバルーンカテーテルのバルーンを拡張および収縮させるための圧力発生手段を収納する本体筐体部と、該本体筐体部のモニタ設置部に支持されるモニタ部とを有している。モニタ部は、バルーンカテーテルの駆動状態等に関する各種の情報を表示可能な表示部と、圧力発生手段および表示部を制御する制御部とを有している。
【０００３】
このようなＩＡＢＰ駆動装置においては、輸送上の便宜や作業性の観点から、本体筐体部に対してモニタ部は工具等を使用せずに容易に着脱できることが要請され、医療機器としての特性上、本体筐体部の走行に伴う振動やモニタ部の回動等による緩みが発生しないこと、圧力発生手段等の作動に伴う振動により、モニタ部に揺れやガタツキが生じ難いこと等が要請される。
【先行技術文献】
【特許文献】
【０００４】
【特許文献１】特開２０１５−１８８６７４号公報
【発明の概要】
【発明が解決しようとする課題】
【０００５】
本発明は、このような実状に鑑みてなされ、モニタ部の本体筐体部に対する着脱を容易に行え、かつモニタ部の揺れやガタツキが生じ難いモニタ支持構造を提供することを目的とする。
【課題を解決するための手段】
【０００６】
上記目的を達成するために、本発明に係るモニタ支持構造は、
本体筐体部の上部に設けられたモニタ設置部に、モニタ支持部を介して、モニタ部を支持するモニタ支持構造であって、
前記モニタ設置部は、
底面を有し、上面が開口された略円柱状の柱状凹部と、
前記柱状凹部の上部に設けられ、その一部が該柱状凹部の内面よりも内側に突出するように設けられた爪部材とを有し、
前記モニタ支持部は、
前記モニタ部がその上部に取り付けられる支柱部と、
該支柱部の下部に一体的に設けられ、前記柱状凹部に着脱可能にかつ回動可能に嵌入される略円柱状の柱状凸部とを有し、
前記柱状凸部は、
前記柱状凹部に嵌入される際に、前記爪部材の前記一部が干渉することなく通過するようにその側面に凹陥するように形成された切欠部と、
該柱状凹部に嵌入された状態で、該柱状凸部をその中心軸を中心として所定方向に回動した場合に、前記爪部材に係合して該柱状凸部を該柱状凹部の前記底面に向けて押圧する係合部とを有し、
前記柱状凸部は、その下面に設けられ、該柱状凸部が該柱状凹部から離間するように付勢しつつ回転可能な少なくとも一つのプランジャ機能付ボールローラを有する。
【０００７】
本発明に係るモニタ支持構造は、前記本体筐体部は接続される医療機器を駆動する駆動部を収納しており、前記モニタ部は前記医療機器の駆動状態を含む情報を表示する医療機器用駆動装置に好適に用いることができる。
【０００８】
本発明に係るモニタ支持構造では、柱状凸部の下面に、該柱状凸部が該柱状凹部から離間するように付勢しつつ回転可能なプランジャ機能付ボールローラを有しているので、該柱状凹部内で該柱状凸部を円滑に回動することができ、したがってモニタ部の本体筐体部に対する着脱（取り付け、取り外し）を容易に行い得る。これに加えて、プランジャ機能付ボールローラのプランジャ機能により柱状凸部の下面が柱状凹部の底面から離間するように付勢されつつ、爪部材と係合部との係合により、柱状凸部が柱状凹部の底面に向けて押圧されるため、柱状凸部の下面と柱状凹部の底面との間のガタツキが少なく、これによりモニタ部の揺れやガタツキを抑制することができる。
【図面の簡単な説明】
【０００９】
【図１】図１は、本発明に係るモニタ支持構造が適用可能なＩＡＢＰ駆動装置の概略構成図である。
【図２Ａ】図２Ａは、本発明の一実施形態に係るモニタ支持構造におけるモニタ支持部の正面図である。
【図２Ｂ】図２Ｂは、図２Ａのモニタ支持部の平面図である。
【図２Ｃ】図２Ｃは、図２Ａのモニタ支持部の底面図である。
【図２Ｄ】図２Ｄは、図２Ａのモニタ支持部の右側面図である。
【図２Ｅ】図２Ｅは、図２Ａのモニタ支持部の左側面図である。
【図３Ａ】図３Ａは、図２Ａのモニタ支持部の柱状凸部を斜め上から見た斜視図である。
【図３Ｂ】図３Ｂは、図２Ａのモニタ支持部の柱状凸部を斜め下から見た斜視図である。
【図３Ｃ】図３Ｃは、図３ＡのＩＩＩｃ−ＩＩＩｃ線に沿った断面図である。
【図４Ａ】図４Ａは、図１のモニタ設置部の柱状凹部およびその近傍の平面図である。
【図４Ｂ】図４Ｂは、図４Ａの柱状凹部およびその近傍の側面図である。
【図４Ｃ】図４Ｃは、図４Ａの柱状凹部およびその近傍の側面図であり、ピン部が引き抜く方向にスライドされた状態を示す図である。
【図４Ｄ】図４Ｄは、図４Ａの柱状凸部およびその近傍の正面図である。
【図５Ａ】図５Ａは、図２Ａの柱状凸部を図４Ａの柱状凹部に嵌入した状態の断面図である。
【図５Ｂ】図５Ｂは、図５Ａの状態から柱状凸部を所定方向に回動した状態の断面図である。
【発明を実施するための形態】
【００１０】
以下、本発明に係るモニタ支持構造を、図面に示す実施形態に基づき説明する。
【００１１】
まず、図１を参照して、本発明に係るモニタ支持構造が適用された医療機器用駆動装置の一例として、ＩＡＢＰ駆動装置について説明する。ＩＡＢＰ駆動装置１は、不図示のＩＡＢＰ用バルーンカテーテルのバルーンを拡張および収縮させる装置である。被駆動機器であるバルーンカテーテルは、ＩＡＢＰ駆動装置１の不図示のカテーテル接続部に接続して使用される。ＩＡＢＰ用バルーンカテーテルの先端には、心臓の拍動に合わせて拡張および収縮するバルーンが備えられており、バルーンは下行大動脈内に留置されて使用される。
【００１２】
ＩＡＢＰ駆動装置１は、本体筐体部２およびモニタ部３を有している。モニタ部３は、本体筐体部２の上部（上面）に設けられたモニタ設置部４に、モニタ支持部（基部）５を介して支持されている。
【００１３】
本体筐体部２の内部には、ＩＡＢＰ用バルーンカテーテルのバルーンを拡張および収縮させるための駆動部としての圧力発生手段（不図示）が収納されている。圧力発生手段は、バルーンを拡張させるヘリウム等のガスを貯蔵するガスタンクや、所定の圧力に保たれる圧力室や、圧力を伝達する圧力伝達隔壁装置（アイソレータ）や、圧力室を接続する配管および電磁弁等を有している。本体筐体部２の底部には、複数のキャスター２１が備えられており、必要に応じてＩＡＢＰ駆動装置１を迅速に移動させることが可能である。
【００１４】
モニタ部３は、本体筐体部２のモニタ設置部４にモニタ支持部５を介して着脱可能に取り付けられる。モニタ部３は、略矩形平板状の形状を有しており、モニタ部３の外周部は、樹脂製の衝撃吸収材で保護されている。また、モニタ部３は、不図示のケーブルによって本体筐体部２と接続されており、その内部に収納された機器と通信可能である。モニタ部３は、表示部３１、制御部（不図示）、パイロットランプ３２、操作部３３等を有する。
【００１５】
表示部３１は、モニタ部３の表面側に配置されており、被駆動機器であるバルーンカテーテルの駆動状態を、チャートなどの形式で表示できる。表示部３１は、液晶ディスプレイで構成され、表示部３１の表示内容は、モニタ部３に内蔵される制御部によって制御される。制御部は、モニタ部３の内部に収納されており、マイクロプロセッサおよびメモリ等によって構成される。制御部は、本体筐体部２内に収納される各種機器、バルーンカテーテルおよびモニタ部３における他の部分から信号を受け取るとともに、演算処理を実施し、本体筐体部２内の圧力発生手段や、表示部３１およびパイロットランプ３２等の制御を行う。
【００１６】
パイロットランプ３２は、モニタ部３の頂部に配置されており、バルーンカテーテルの駆動状態を表す。パイロットランプ３２は、透明または半透明のカバーおよびカバーの内部に配置された複数のＬＥＤ等によって構成される。制御部は、バルーンカテーテルの駆動状態に応じて、パイロットランプ３２の点灯色や点灯状態（常時点灯・点滅・消灯）を変更する。パイロットランプ３２は、モニタ部３に対して表面側、背面側、側面側のいずれの方向に操作者がいる場合にでも視認できるように、衝撃吸収材から前後にはみ出た状態で、モニタ部３の中央上部に配置されている。
【００１７】
操作部３３は、表示部３１と同様にモニタ部３の表面側に配置されており、表示部３１の下方に配置されている。操作部３３は、複数のボタン、選択キー等によって構成されており、ＩＡＢＰ駆動装置１の操作者は、操作部３３を介して操作信号を入力し、ＩＡＢＰ駆動装置１の駆動開始および停止、駆動条件の変更等を行うことができる。操作部３３が配置されているモニタ部３の下部は、表示部３１が配置されているモニタ部３の上部に対して、表面が向いている前方に向かって１５度〜２０度傾斜した形状を有している。このような形状を有するモニタ部３は、表示部３１を鉛直に近い状態に立てた状態で、操作部３３のボタン操作を正確に行うことができるため、視認性と操作性を両立できる。
【００１８】
モニタ部３は、本体筐体部２から鉛直方向に伸びる略柱状のモニタ支持部５の上端に設けられ、所定の方向に可動する可動部３４を有している。可動部３４は、図示は省略するが、モニタ支持部５を中心軸とする回転方向に可動する第１可動部と、水平に配置される軸を中心軸とする回転方向に可動する第２可動部とを有する。第２可動部には、モニタ挿入部が設けられ、該モニタ挿入部にモニタ部３が着脱可能に取り付けられる。モニタ部３は、第１可動部により、鉛直方向の中心軸を有する水平方向の姿勢変更を行うことができ、第２可動部により、水平方向の中心軸を有する傾き方向の姿勢変更を行うことができる。
【００１９】
モニタ支持部５は、図２Ａ〜図２Ｅ、図３Ａ〜図３Ｃに示すように構成されている。モニタ支持部５は、略円柱状（または円筒状）の支柱部６および略円柱状の柱状凸部７を有している。柱状凸部７は、支柱部６よりも大径に設定されており、支柱部６の下部にこれと略同軸上に配置され、複数のボルト（不図示）により一体的に固定されている。
【００２０】
柱状凸部７は、モニタ設置部４の柱状凹部（図４Ａ参照、詳細後述）８に着脱可能にかつ回動可能に嵌合され、嵌合された際に該柱状凹部８の底面８１に当接可能な下面７１を有している。
【００２１】
柱状凸部７は、その側部の互いに略１８０度対向する位置に、一対の軸方向切欠部（切欠部）７２，７２を有している。これらの軸方向切欠部７２は、柱状凹部８に嵌入される際に、対応する爪部材（図４Ａ参照、詳細後述）８３が干渉することなく通過するように、柱状凸部７の側面に凹陥して、柱状凸部７の下面から上面にまで至るように形成されている。
【００２２】
柱状凸部７は、その側部の互いに略１８０度対向する位置に、一対の周方向切欠部（係合部）７３，７３を有している。これらの周方向切欠部７３は、その周方向の一端が対応する軸方向切欠部７２の上部に連続し、その底面が柱状凸部７の下面７１と略平行するように、柱状凸部７の側面に凹陥するように形成されており、その上部は柱状凸部７の上面に至っている。周方向切欠部７３は、柱状凸部７が柱状凹部８に嵌入されて、柱状凸部７をその中心軸を中心として所定方向（本実施形態では、平面視において、反時計方向）に回動した場合に、対応する爪部材８３の一部（下面）に当該底面が係合して柱状凸部７の下面７１が柱状凹部８の底面８１に当接するように押圧する係合部として機能するものである。周方向切欠部７３の前記一端と反対側の他端は、爪部材８３が当接可能な側面となっている。
【００２３】
柱状凸部７は、その側面に開口するロック穴７４を有している。ロック穴７４は、ロックピン（図４Ａ〜図４Ｄ参照、詳細後述）８４の先端部が挿抜可能に挿入（嵌入）されるように、柱状凸部７の側面に開口するように形成されている。
【００２４】
柱状凸部７は、その側面に３次元曲面からなる誘導部７５を有している。誘導部７５は、柱状凸部７を柱状凹部８に嵌入する際に、および嵌入後に所定方向に回動した際に、ロックピン８４の先端部が柱状凸部７に干渉して回動の妨げとならないように、外側に適宜に押圧しつつ、ロック穴７４に円滑に挿入されるように誘導する。
【００２５】
柱状凸部７の下面には、一対のプランジャ機能付ボールローラ（ボールプランジャ）７６が取り付けられている。プランジャ機能付ボールローラ７６は、任意の方向に回転自在なボールローラをバネ（圧縮コイルバネ）の付勢力を利用して、ボール保持体に進退可能に保持してなる部品である。プランジャ機能付ボールローラ７６は、図３Ｃに示されているように、柱状凸部７の下面に開口するように穴７７，７７を形成し、該穴７７にボール保持体を螺合または圧入することにより設けることができる。プランジャ機能付ボールローラ７６は、柱状凸部７を柱状凹部８に嵌入した際に、柱状凸部７の下面が柱状凹部８の底面から離間するように付勢しつつ、柱状凸部７の所定方向への回動を円滑に行うための部品である。
【００２６】
モニタ設置部４は、図４Ａ〜図４Ｄに示すように構成されている。モニタ設置部４は、底面８１を有し、その上面が開口された略円柱状の柱状凹部８を画成する受け部材８２と、柱状凹部８（受け部材８２）の上部に設けられ、その一部が柱状凹部８の内面よりも内側に突出するように設けられた一対の爪部材８３，８３とを有している。一対の爪部材８３，８３は、互いに略１８０度対向する位置にネジにより固定されている。
【００２７】
受け部材８２には、その一の側面から柱状凹部８の内面に至る貫通孔が設けられており、この貫通孔を貫通してロックピン８４が摺動可能に挿通されている。ロックピン８４は、人手により把持可能な頭部およびピン部８４ａを有し、ピン部８４ａは、上述した柱状凸部７のロック穴７４に挿抜可能に挿入される程度の径および長さに設定されている。ロックピン８４は、外力が作用しない状態で、ピン部８４ａの先端部が、柱状凹部８の内面から内側に突出するようにバネにより付勢されている。
【００２８】
ロックピン８４は、柱状凸部７を柱状凹部８に嵌入する際、および嵌入後に柱状凸部７を所定方向に回動させた際に、柱状凸部７の誘導部７５によりピン部８４ａの先端が押圧されることにより、図４Ｃ中に矢印で示されているように外側にスライドされて、ピン部８４ａの先端部が柱状凹部８の内面から待避されるようになっている。ロックピン８４のピン部８４ａに柱状凸部７のロック穴７４が対応した位置に設定されると、バネの付勢力によって、ピン部８４ａの先端部がロック穴７４に挿入され、柱状凸部７の柱状凹部８に対する回動が規制され、周方向切欠部７３の底面と爪部材８３の下面との係合により、柱状凸部７が柱状凹部８に固定される。
【００２９】
また、ロックピン８４は、その頭部を把持して、該バネの付勢力に抗して、図４Ｃ中矢印で示す方向（引き抜く方向）にスライドさせることにより、ピン部８４ａの先端部が柱状凹部８の内面から待避させることができるようになっている。
【００３０】
柱状凹部８の底面８１には、一対のボール受け穴８５が形成されている。これらのボール受け穴８５は、柱状凸部７を柱状凹部８に嵌入して、所定方向に回動させて、柱状凸部７のロック穴７４にロックピン８４のピン部８４ａの先端部が挿入可能な位置となった際に、プランジャ機能付ボールローラ７６のボールが嵌り込むことが可能な位置に配置されている。
【００３１】
モニタ設置部４に対するモニタ支持部５の着脱は、次のような手順で行う。なお、本実施形態のように、モニタ部３がモニタ支持部５に着脱可能である場合には、モニタ支持部５からモニタ部３を取り外した状態で行うことが、作業がし易く好ましい。ただし、モニタ支持部５にモニタ部３を取り付けた状態で行ってもよい。
【００３２】
まず、モニタ設置部４の柱状凹部８の近傍で、モニタ支持部５の柱状凸部７が柱状凹部８に対してなるべく同軸となるように配置するとともに、柱状凸部７の軸方向切欠部７２，７２がそれぞれ対応する爪部材８３，８３の柱状凹部８内に突出した部分（以下、この部分をも爪部材８３と称する場合がある）に配置されるように、柱状凸部７の中心軸周りの姿勢を調整する。
【００３３】
次いで、軸方向切欠部７２，７２を爪部材８３が通過するように、柱状凹部８内に柱状凸部７を挿入（嵌入）すると、柱状凸部７の下面７１の一部およびプランジャ機能付ボールローラ７６のローラが柱状凹部８の底面８１に当接する。なお、本実施形態では、プランジャ機能付ボールローラ７６は、柱状凸部７の中心を通る直線上に２つ設けているので、これらのプランジャ付ボールローラ７６が当接している２点と、柱状凸部７の下面７１の外周部近傍部分の１点の３点で支持されることになる。
【００３４】
この状態では、図５Ａに示されているように、ロックピン８４のピン部８４ａの先端は柱状凸部７の誘導部７５内の一部に圧接しており、誘導部７５の三次元曲面との位置関係に応じて、誘導部７５から受ける押圧力によって、ロックピン８４はそのバネの付勢力に抗して押し出される。なお、この状態では、ロックピン８４のピン部８４ａの先端は柱状凸部７の誘導部７５内の一部に当接または僅かに離間した状態となっていてもよく、この場合には、ロックピン８４は、最大量突出した状態のままとなっている。
【００３５】
次いで、柱状凹部８に対して柱状凸部７を所定方向（平面視において反時計方向）に回動させる。これにより、爪部材８３が周方向切欠部７３側に相対的に移動し、周方向切欠部７３の底面と爪部材８３の下面とが摺動しつつ、柱状凸部７が柱状凹部８の底面側に押圧され、周方向切欠部７３の軸方向切欠部７２と反対側の他端が爪部材８３に当接する。この状態では、図５Ｂに示されているように、プランジャ機能付ボールローラ７６が対応する受け穴８５に至り、プランジャ機能による付勢力により、該受け穴８５にボールが入り込み、位置決めされる。
【００３６】
また、柱状凸部７の柱状凹部８内での反時計方向への回動に伴い、ロックピン８４が誘導部７５の三次元曲面によって押し出され（図４Ｃ参照）、ロック穴７４にピン部８４ａの先端が入り込み（図５Ｂ参照）、ロック機能が発揮され、柱状凸部７の柱状凹部８に対する回動が規制された状態となる。これにより、モニタ支持部５のモニタ設置部４に対する装着（取り付け）が完了する。
【００３７】
モニタ支持部５をモニタ設置部４から取り外す場合には、ロックピン８４の頭部を把持して、ロックピン８４を図４Ｃ中に矢印で示されているように外側に引き出して、ピン部８４ａの先端をロック穴７４内から引き抜き、この状態で、柱状凸部７を時計方向に回動する。爪部材８３が周方向切欠部７３から軸方向切欠部７２の上部に相対的に移動したならば、柱状凸部７を柱状凹部８から引き抜くことにより、爪部材８３が軸方向切欠部７２を通過して、取り外しが完了する。
【００３８】
上述した実施形態によると、柱状凸部７の下面にプランジャ機能付ボールローラ７６を設けたので、柱状凸部７を柱状凹部８に挿入して回動させる際に、ボールローラの転がりにより、弱い力で円滑に作業することができる。また、プランジャ機能付ボールローラ７６のプランジャ機能により柱状凸部７の下面７１が柱状凹部８の底面８１から離間するように付勢されつつ、爪部材８３の下面と周方向切欠部７３の底面との係合により、柱状凸部７が柱状凹部８の底面８１に押しつける方向に押圧されるため、柱状凸部７の下面７１と柱状凹部８の底面８１との間のガタツキが少なく、モニタ部３の揺れやガタツキを抑制することができる。
【００３９】
柱状凸部７を柱状凹部８内に嵌入し、所定方向（反時計方向）に回動させると、プランジャ機能付ボールローラ７６のボールが、柱状凹部８の底面８１に設けられた対応するボール受け穴８５にそれぞれ嵌り込んで位置決めされ、この位置で、ロックピン８４のピン部８４ａがロック穴７４に挿入されることによりロックされるようにしたので、ロック位置を感覚的に把握し易い。また、プランジャ機能付ボールローラ７６のボールが、柱状凹部８の底面８１に設けられたボール受け穴８５に嵌り込んで位置決めされることにより、柱状凸部７が柱状凹部８内で位置決めされて安定し、モニタ部３の揺れやガタツキをさらに抑制することもできる。
【００４０】
また、ロックピン８４のピン部８４ａがロック穴７４に挿入されることにより、柱状凸部７が柱状凹部８にロックされるようにしたので、柱状凸部７の柱状凹部８に対する固定が確実であり、信頼性の高い装着を実現することができる。さらに、ロックピン８４が、誘導部７５の三次元曲面により押圧されて、バネによる付勢力に抗して押し出す方向にスライドされつつ、ロック穴７４に誘導されるようにしたので、柱状凸部７を柱状凹部８に嵌入する際に、ロックピン８４の先端が柱状凸部７の下面に引っ掛かることなく円滑に嵌入できるとともに、柱状凸部７の所定方向への回動によりロック穴７４に円滑に導かれるので、一連の作業を円滑に行うことができる。
【００４１】
以上説明した実施形態は、本発明の理解を容易にするために記載されたものであって、本発明を限定するために記載されたものではない。したがって、上述した実施形態に開示された各要素は、本発明の技術的範囲に属する全ての設計変更や均等物をも含む趣旨である。
【符号の説明】
【００４２】
１…ＩＡＢＰ駆動装置
２…本体筐体部
３…モニタ部
４…モニタ設置部
５…モニタ支持部
６…支柱部
７…柱状凸部
７１…下面
７２…軸方向切欠部（切欠部）
７３…周方向切欠部（係合部）
７４…ロック穴
７５…誘導部
７６…プランジャ機能付ボールローラ
８…柱状凹部
８１…底面
８２…受け部材
８３…爪部材
８４…ロックピン
８４ａ…ピン部
８５…ボール受け穴
【図１】
2019063262.tif 000003
【図２Ａ】
2019063262.tif 000004
【図２Ｂ】
2019063262.tif 000005
【図２Ｃ】
2019063262.tif 000006
【図２Ｄ】
2019063262.tif 000007
【図２Ｅ】
2019063262.tif 000008
【図３Ａ】
2019063262.tif 000009
【図３Ｂ】
2019063262.tif 000010
【図３Ｃ】
2019063262.tif 000011
【図４Ａ】
2019063262.tif 000012
【図４Ｂ】
2019063262.tif 000013
【図４Ｃ】
2019063262.tif 000014
【図４Ｄ】
2019063262.tif 000015
【図５Ａ】
2019063262.tif 000016
【図５Ｂ】
2019063262.tif 000017